(57)【要約】      （修正有）【課題】配管類への装着作業を容易に行える配管類用カバー部材を提供する。【解決手段】配管類２に巻き付けるカバー本体５と、先端に向かうほど外径が次第に小さくなるようにバンド８で縮径させて前記配管類に固定される縮径部６とを備え、縮径部６には、縮径した状態でバンド８が先端方向で係止するバンド係止部７を備え、バンド係止部７は、前記縮径した状態で径外方向に立ち上がる段差部７Ｄを構成する。【選択図】図３
2019157597.tif 000002
【特許請求の範囲】
【請求項１】
配管類に巻き付けるカバー本体と、前記配管類に巻き付けた状態で先端に向かうほど外径が次第に小さくなるようにバンドで縮径させて前記配管類に固定される縮径部とを備え、該縮径部には、縮径した状態でバンドが先端方向で係止するバンド係止部を備えていることを特徴とする配管類用カバー部材。
【請求項２】
前記バンド係止部は、前記縮径した状態で径外方向に立ち上がる段差部を構成することを特徴とする請求項１に記載の配管類用カバー部材。
【請求項３】
前記縮径部は、前記カバー本体の幅方向一端部に設けられ、前記バンド係止部は、前記縮径部の先端に備えていることを特徴とする請求項１又は２に記載の配管類用カバー部材。
【発明の詳細な説明】
【技術分野】
【０００１】
本発明は、配管類に巻き付けて装着される配管類用カバー部材に関する。
【０００２】
上記配管類用カバー部材は、例えば排水管からの排水音を低減する目的で排水管に装着される。具体的には、排水管の途中に設けられた点検口を備えた配管類の一つである継手と継手の上下に接続される継手よりも小径な排水管とに亘って配管類用カバー部材を遮音カバーとして装着する。この配管類用カバー部材は、シート状の部材から構成され、点検口に対応する部分に開口が形成され巻き付け方向（管や継手の周方向）に長い横長状の本体部と、本体部の上下端部のそれぞれに所定間隔置きにＶ字状のスリットが切り欠かれた縮径部と、前記点検口を閉じるべく、本体部の巻き付け方向の一端部に形成された蓋部とを備えている。
【０００３】
この配管類用カバー部材を装着する場合には、まず継手に本体部を巻き付ける。続いて本体部の上下に位置する縮径部のそれぞれを結束バンドで締め付けることによって、先端に向かうほど外径が次第に小さくなるように上下の縮径部を縮径させて上下の排水管にそれぞれ固定する（例えば特許文献１）。
【先行技術文献】
【特許文献】
【０００４】
【特許文献１】特開２０１７−８７０５号公報（図１４（ａ），（ｂ）参照）
【発明の概要】
【発明が解決しようとする課題】
【０００５】
上記特許文献１の配管類用カバー部材では、縮径部を結束バンドで締め付けるとき、縮径部が先端に向かうほど外径が次第に小さくなっていくため、縮径部の表面を結束バンドが滑って先端側へ移動してしまい、縮径部の先端から外れてしまうことがある。このように結束バンドが縮径部から外れると、結束バンドを再度縮径部へ戻して締め付け作業をやり直さなければならず、煩雑になるという不都合があった。
【０００６】
本発明は前述の状況に鑑み、解決しようとするところは、配管類への装着作業を容易に行える配管類用カバー部材を提供するものである。
【課題を解決するための手段】
【０００７】
本発明の配管類用カバー部材は、前述の課題解決のために、配管類に巻き付けるカバー本体と、前記配管類に巻き付けた状態で先端に向かうほど外径が次第に小さくなるようにバンドで縮径させて前記配管類に固定される縮径部とを備え、該縮径部には、縮径した状態でバンドが先端方向で係止するバンド係止部を備えていることを特徴としている。
【０００８】
本発明によれば、配管類にカバー本体を巻き付けてから、縮径部をバンドで締め付けると、縮径部が先端に向かうほど外径が次第に小さくなる。すると、縮径部の先端側へ移動するバンドがバンド係止部に係止して、バンドが縮径部の先端から外れてしまうことを防止できる。よって、縮径部から外れたバンドを再度縮径部へ戻して締め付けるといった作業を不要にできる。
【０００９】
又、本発明の配管類用カバー部材は、前記バンド係止部が、前記縮径した状態で径外方向に立ち上がる段差部を構成してもよい。
【００１０】
上記のように、縮径部が縮径した状態でバンド係止部が径外方向に立ち上がる段差部を構成することによって、縮径部の縮径時にバンドが段差部に係止する。
【００１１】
又、本発明の配管類用カバー部材は、前記縮径部が、前記カバー本体の幅方向一端部に設けられ、前記バンド係止部は、前記縮径部の先端に備えていてもよい。
【００１２】
上記のように、バンド係止部を縮径部の先端に備えることによって、縮径部の縮径時に先端側に移動するバンドを確実に係止することができる。
【発明の効果】
【００１３】
本発明によれば、縮径部に、縮径した状態でバンドが先端方向で係止するバンド係止部を備えることによって、縮径部からのバンドの外れを防止して、配管類への装着作業を容易に行える配管類用カバー部材を提供することができる。
【図面の簡単な説明】
【００１４】
【図１】第１実施形態の配管類用カバー部材を継手に巻き付ける直前の状態を示す正面図である。
【図２】同配管類用カバー部材を継手に巻き付けて装着した状態を示す縦断側面図である。
【図３】同配管類用カバー部材を継手に巻き付けて装着した状態を示す要部の斜視図である。
【図４】同配管類用カバー部材の正面図である。
【図５】第２実施形態の配管類用カバー部材を継手に巻き付ける直前の状態を示す正面図である。
【図６】（ａ）〜（ｄ）は他のバンド係止部を示す正面図である。
【図７】（ａ）〜（ｄ）は他のバンド係止部を示す正面図である。
【図８】（ａ）〜（ｃ）は他のバンド係止部を示す正面図である。
【図９】（ａ）〜（ｃ）は他のバンド係止部を示す正面図である。
【図１０】（ａ），（ｂ）は他のバンド係止部を示す正面図である。
【発明を実施するための形態】
【００１５】
以下、本発明の実施形態を図面に基づいて説明する。
【００１６】
＜第１実施形態＞
図１及び図２に、点検口（図示せず）を閉じる蓋１Ａを備えた継手（配管類）１と継手１の上下に接続される継手１よりも小径な外径を有する２つの上下の排水管２，３とに亘って遮音カバーとしての第１配管類用カバー部材４を巻き付ける直前の状態を示している。なお、図１に示す第１配管類用カバー部材４において、紙面における上下方向を幅方向Ｗとし、紙面における左右方向を長さ方向Ｌとして以下において説明する。したがって、第１配管類用カバー部材４の幅方向Ｗを配管類の管軸方向に向けた状態で配管類の周囲に長さ方向Ｌで巻き付けることになる。
【００１７】
第１配管類用カバー部材４は、配管類に巻き付けることができるように可撓性を有するシートに構成されている。具体的には、内側（配管類側）に配置されるＰＥＴフェルトから構成される吸音層と、吸音層の外側に積層される遮音層を構成する塩化ビニル樹脂層と、最外側に積層される合成樹脂でなる不織布からなる保護層とを備える３層構造になっているが、他の構成であってもよい。また、第１配管類用カバー部材４は、図１〜図４に示すように、継手１に巻き付けるカバー本体５と、配管類に巻き付けた状態で先端に向かうほど外径が次第に小さくなるようにバンド８で縮径させて上下の排水管２，３に固定される縮径部６，６と、を備え、縮径部６，６のそれぞれには、縮径した状態でバンド８が先端方向（幅方向Ｗ外向き）で係止するバンド係止部７を備えている。
【００１８】
カバー本体５は、幅方向よりも長さ方向に長い略長方形状に構成され、継手１の外径よりも長い長辺を有するとともに、継手１の蓋１Ａに対応する部分に略正方形状の開口５Ａが形成されている。なお、長さ方向Ｌの長さは、巻き付ける配管類の周方向の寸法（外径寸法）よりも長く設定されることが好ましいが、場合によっては、巻き付ける配管類の周方向の寸法（外径寸法）と同一長さに設定されていてもよい。
【００１９】
縮径部６，６のそれぞれは、図１及び図４に示すように、カバー本体５の長さ方向に所定間隔を置いて基端側ほど幅が狭い多数の略Ｖ字状の切欠き６Ｋが形成されることによって、それら切欠き６Ｋの間に先端側ほど寸法が小さくなる多数（図では６個）の台形状の片部６Ａが形成されて構成されている。このように構成された縮径部６，６のそれぞれを、バンド８で締め付けることによって、切欠き６Ｋを閉じるように隣り合う片部６Ａが周方向で接近して、先端に向かうほど外径が次第に小さくなるように変形させることができる。なお、図２では、締め付けられて縮径した縮径部６が先端に向かうほど排水管２側に位置する直線状の傾斜面を有している。
【００２０】
各バンド係止部７は、縮径部６を構成する多数の片部６Ａの先端に備え、カバー本体５の長さ方向（図では上下方向と直交する横方向）に延びる長方形状に構成されている。これは、巻き付けられた配管類用カバー部材４の縮径部６，６の先端よりも基端側の部分をバンド８で締め付けることによって、締め付けられていない先端に位置するバンド係止部７が径外方向に立ち上がる（高段となる）段差部７Ｄ（図２、図３参照）を構成する。つまり、バンド８で縮径部６の基端側の部分を締め付けても、バンド８の締付力が作用しないバンド係止部７は、縮径されずに径外方向に延びた状態を維持することで他の部分よりも高くなって段差部７Ｄを構成できる。この段差部７Ｄに、締め付けているバンド８が図２に示す片部６Ａの傾斜面を滑って先端側へ移動することで係止する。これによって、縮径部６からのバンド８の外れを防止できる。なお、図１及び図４では、左端の片部６Ａの先端におけるカバー本体５の長手方向両端のそれぞれにバンド係止部７を備えているが、残りの他の片部６Ａは、先端におけるカバー本体５の長手方向一端（図では右端）にのみバンド係止部７を備えている。
【００２１】
バンド８は、図３に示すように、金属製や合成樹脂製のインシュロック（商標登録）から構成され、フレキシブルな所定幅と所定長さを有するバンド部８Ａと、バンド部８Ａを挿通可能でバンド部８Ａを抜け止め状態に保持する係止爪（図示せず）を備えた角筒状のロック部８Ｂとを備えている。
【００２２】
第１配管類用カバー部材４の施工手順について説明するが、第１配管類用カバー部材４を施工する前に、上下の排水管２，３に配管類用カバー部材９，１０を巻き付けて装着しておくことになる（図２参照）。これら配管類用カバー部材９，１０は、同一外径の排水管（配管類）２，３を巻くため、前記縮径部６及びバンド係止部７を備えていないカバー部材から構成され、第１配管類用カバー部材４と同一の３層構造に構成されていてもよいし、他の構成にしてもよい。
【００２３】
まず、図１に示すように、継手１と上下の排水管２，３とを覆うように継手１の前面の蓋１Ａにカバー本体５の開口５Ａを合わせた状態にする（図１参照）。この状態から、第１配管類用カバー部材４を、それの幅方向が継手１の管軸方向に向いた状態で継手１の周囲に長手方向で巻き付ける。第１配管類用カバー部材４を継手１に巻き付けた後、テープで固定する。次に、第１配管類用カバー部材４の上端側の縮径部６をバンド８により締め付けて上側の排水管２に第１配管類用カバー部材４の上端部である上側の縮径部６を固定する。このとき、排水管２の外径が継手１の外径よりも小さいため、バンド８で締め付けられる縮径部６が先端に向かうほど外径が次第に小さくなるように（図２に示す傾斜姿勢に）変形するが、その変形によりバンド８が縮径部６の表面を先端方向（第１配管類用カバー部材４の幅方向外向き）に向かって滑って移動して縮径部６から外れてしまうことを縮径部６の先端に備えたバンド係止部７との係止により防止することができる。すなわち、このバンド係止部７は、前述したように、縮径部６の先端側よりも基端側の部分をバンド８で締め付けることによって、締め付けられていない先端に位置するバンド係止部７が径外方向に立ち上がる（高段となる）段差部７Ｄを構成する。これによって、バンド８が段差部７Ｄに係止できる。
【００２４】
上端側の縮径部６の上側の排水管２への固定が終了すると、下端側の縮径部６の下側の排水管３への固定作業を前記と同様に行って、第１配管類用カバー部材４の施工が完了する。なお、図示していないが、図１及び図２において、継手１の前方を覆う蓋カバー部材を最後に装着することが好ましい。この蓋カバー部材は、第１配管類用カバー部材４に取り付ける又は一体成形したものであってもよいし、第１配管類用カバー部材４とは、別に構成された蓋カバー部材を固定手段により継手１の前方を覆うように固定してもよい。また、図３において、バンド８や切欠き６Ｋを粘着剤付きのテープで覆う仕上げ作業を行ってもよい。
【００２５】
＜第２実施形態＞
第１実施形態では、継手１を覆う第１配管類用カバー部材４を示したが、第２実施形態では、集合住宅等に組み込まれる排水システムに用いられる集合排水管１１を覆う第２配管類用カバー部材１２及び第３配管類用カバー部材１３を例として説明する。なお、第２配管類用カバー部材１２及び第３配管類用カバー部材１３は、第２配管類用カバー部材１２及び第３配管類用カバー部材１３と同様に３層構造に構成されているが、他の構成であってもよい。
【００２６】
図５に示すように、集合排水管１１は、建築物の区画体である床スラブ１４に形成された貫通孔１４Ａを上下方向に貫通する状態で設置されている。なお、図示していないが、集合排水管１１の外面と床スラブ１４の貫通孔１４Ａとの間は、モルタル等の充填材により充填される。
【００２７】
また、集合排水管１１の上端に、上下方向に沿う第１立て管１５が接続され、集合排水管１１の横側には、水平方向に沿う枝管１６が接続され、集合排水管１１の下端に、上下方向に沿う第２立て管１７が接続されている。
【００２８】
集合排水管１１の上部と第１立て管１５の下端部とに亘って第２配管類用カバー部材１２が巻き付けられて装着される。第２配管類用カバー部材１２は、周方向に３本の枝管を貫通することができるように、かつ、外径の異なる枝管の外径寸法に対応できるように大きさが異なる３つの環状の切り取り線１８Ａ，１８Ｂ，１８Ｃを長さ方向（図面において横方向）に隣り合わせて３箇所に形成されたカバー本体１８と、カバー本体１８の上端から延出され、第１立て管１５に巻き付けた状態で先端に向かうほど外径が次第に小さくなるようにバンド８で縮径させて配管類である上側の第１立て管１５に固定される前記と同一構成の縮径部１９とを備え、縮径部１９には、縮径した状態でバンド８が先端方向で係止する前記と同一構成のバンド係止部２０を備えている。縮径部１９は、カバー本体１８の長さ方向に所定間隔を置いて基端側ほど幅が狭い多数の略Ｖ字状の切欠き１９Ｋが形成されることによって、それら切欠き１９Ｋの間に先端側ほど寸法が小さくなる多数（図では６個）の台形状の片部１９Ａが形成されて構成されている。
【００２９】
第２配管類用カバー部材１２の施工手順について説明する。前述同様に、第２配管類用カバー部材１２を施工する前に、第１立て管１５に配管類用カバー部材（図示せず）を巻き付けて装着しておくことになる。
【００３０】
まず、第２配管類用カバー部材１２に備える長さ方向において右端に位置する３つの環状の切り取り線１８Ａ，１８Ｂ，１８Ｃのうちの枝管１６の外径に合うように最外周に位置する切り取り線１８Ａを切り取る。この切り取って下方が開放された切欠き１８Ｋが形成された状態から第２配管類用カバー部材１２を集合排水管１１の上部に巻き付けながら、カバー本体１８の切欠き１８Ｋを枝管１６に挿通させる。この状態で前記同様に、第２配管類用カバー部材１２の上端側の縮径部１９をバンドにより締め付けて第１立て管１５の下端部に第２配管類用カバー部材１２の上端部を固定する。このとき、第１立て管１５の外径が集合排水管１１の外径よりも小さいため、バンドで締め付けられる縮径部１９が先端に向かうほど外径が次第に小さくなるように（図５の２点鎖線で示す傾斜姿勢に）変形し、その変形によりバンドが縮径部１９の表面を先端方向に向かって移動して縮径部１９から外れてしまうことを縮径部１９の先端に備えたバンド係止部２０との係止により防止することができる（図２及び図３と同様であるため、図示を省略している）。
【００３１】
また、枝管１６が接続される集合排水管１１の接続部１１Ａと枝管１６の集合排水管１１側端部とに亘る状態で第３配管類用カバー部材１３が巻き付けられて装着される。第３配管類用カバー部材１３は、集合排水管１１の接続部１１Ａに巻き付けられる長方形状のカバー本体２１と、カバー本体２１の幅方向一端から延出され、先端に向かうほど外径が次第に小さくなるようにバンド８で縮径させて配管類である枝管１６に固定される前記と同一構成の縮径部２２とを備え、縮径部２２には、縮径した状態でバンド８が先端方向で係止する前記と同一構成のバンド係止部２３を備えている。縮径部２２は、カバー本体２１の長さ方向に所定間隔を置いて基端側ほど幅が狭い多数の略Ｖ字状の切欠き２２Ｋが形成されることによって、それら切欠き２２Ｋの間に先端側ほど寸法が小さくなる多数（図では６個）の台形状の片部２２Ａが形成されて構成されている。なお、第３配管類用カバー部材１３を集合排水管１１の接続部１１Ａに巻き付ける場合には、図５に示すように、第３配管類用カバー部材１３の幅方向を横向きの枝管１６の管軸方向に向けるために第３配管類用カバー部材１３の長さ方向を縦方向（上下方向）にした縦向き姿勢に第３配管類用カバー部材１３を姿勢変更している。
【００３２】
第３配管類用カバー部材１３の施工手順について説明する。前述同様に、第３配管類用カバー部材１３を施工する前に、枝管１６に配管類用カバー部材（図示せず）を巻き付けて装着しておくことになる。
【００３３】
まず、縦向き姿勢にした第３配管類用カバー部材１３を集合排水管１１の接続部１１Ａに巻き付ける。この状態で前記同様に、第３配管類用カバー部材１３の幅方向一端側（図５では右端側）の縮径部２２をバンド（図示せず）により締め付けて枝管１６に第３配管類用カバー部材１３の幅方向一端部を固定する。このとき、枝管１６の外径が集合排水管１１の接続部１１Ａの外径よりも小さいため、バンドで締め付けられる縮径部２２が先端に向かうほど外径が次第に小さくなるように（図５の２点鎖線で示す傾斜姿勢に）変形し、その変形によりバンドが縮径部２２の表面を先端方向に向かって移動して縮径部２２から外れてしまうことを縮径部２２の先端に備えたバンド係止部２３との係止により防止することができる（図２及び図３と同様であるため、図示を省略している）。
【００３４】
尚、本発明は、上記実施形態に限定されるものではなく、本発明の要旨を逸脱しない範囲で種々の変更が可能である。例えば、図１〜図４で示したバンド係止部７を、図６〜図１０に示す構成にしてもよい。なお、図では１個のバンド係止部のみ図示している。
【００３５】
図６（ａ）〜（ｄ）では、バンド係止部をバンド８の巻回方向一端側にのみ延びるように構成されたものであり、４種類の形状のものを示している。具体的には、図６（ａ）では、縮径部６の上端の略中央から上方に延びる上方延出部２４Ａと、上方延出部２４Ａの上端からバンド８の巻回方向一端（図では右端）から真横の右側（左側でもよい）に延びる横延出部２４Ｂとからバンド係止部２４を構成している。したがって、バンド８で縮径部６を縮径することによって、バンド８が縮径部６の表面を先端方向（幅方向Ｗ外向き）に向かって滑って移動し、移動したバンド８の上端が横延出部２４Ｂの下端２４ｂに係止して先端方向（図では上方）へのバンド８の移動が防止される。図６（ｂ）では、縮径部６の上端のバンド８の巻回方向一端（図では右端であるが左端でもよい）から斜め上方に立ち上がる傾斜部２５Ａと、傾斜部２５Ａの上端から真横（図では右側）に延びる横部２５Ｂと、横部２５Ｂの右端から下方に延びる下部２５Ｃとからバンド係止部２５を構成している。したがって、バンド８で縮径部６を縮径することによって、バンド８が縮径部６の表面を先端方向（幅方向Ｗ外向き）に向かって滑って移動し、移動したバンド８の上端が横部２５Ｂの下端２５ｂに係止して先端方向（図では上方）へのバンド８の移動が防止される。図６（ｃ）では、縮径部６の上端部をバンド８の巻回方向一端（図では左端であるが右端でもよい）からバンド８の巻回方向内側に入り込んでＵの字状の切欠き２６Ｋを形成することによって、巻回方向一方側（図では左側）に延びる延出部２６Ａを形成してバンド係止部２６を構成している。したがって、バンド８で縮径部６を縮径することによって、バンド８が縮径部６の表面を先端方向（幅方向Ｗ外向き）に向かって滑って移動し、移動したバンド８の上端が延出部２６Ａの下端、つまり切欠き２６Ｋの上端に係止して先端側（図では上方）へのバンド８の移動が防止される。図６（ｄ）では、縮径部６の上端のバンド８の巻回方向一端（図では右端）から真横（図では右側であるが、左側でもよい）に延びるとともに右側（先端）ほど下方に位置する傾斜延出部からバンド係止部２７を構成している。したがって、バンド８で縮径部６を縮径することによって、バンド８が縮径部６の表面を先端方向（幅方向Ｗ外向き）に向かって滑って移動し、移動したバンド８の上端が縮径部６の右側上端とバンド係止部２７の下側で左端との角部２７Ａにバンド８の上端が係止して先端側へのバンド８の移動が防止される。
【００３６】
また、図７（ａ）〜（ｄ）では、バンド係止部をバンド８の巻回方向両側に延びるように構成されたものであり、４種類の形状のものを示している。具体的には、図７（ａ）では、縮径部６の上端部の左右中央部から上方に延びる上方延出部２８Ａと、上方延出部２８Ａの上端部からバンド８の巻回方向両側の真横に延びる一対の横延出部２８Ｂ，２８Ｂとからバンド係止部２８を構成している。したがって、バンド８で縮径部６を縮径することによって、バンド８が縮径部６の表面を先端方向（幅方向Ｗ外向き）に向かって滑って移動し、移動したバンド８の上端が横延出部２８Ｂ，２８Ｂの下端２８ｂ，２８ｂに係止して先端方向へのバンド８の移動が防止される。図７（ｂ）では、縮径部６の上端部のバンド８の巻回方向両端から斜め上方に立ち上がる一対の傾斜部２９ａ，２９ｄと、傾斜部２９ａ，２９ｄの上端部から真横（図では左右）に延びる横部２９ｂ，２９ｅと、横部２９ｂ，２９ｅのバンド８の巻回方向先端（図では左右端）から下方に延びる下部２９ｃ，２９ｆとからなる一対の延出部２９Ａ，２９Ｂからバンド係止部２９を構成している。したがって、バンド８で縮径部６を縮径することによって、バンド８が縮径部６の表面を先端方向（幅方向Ｗ外向き）に向かって滑って移動し、移動したバンド８の上端が横部２９ｂ，２９ｅの下端２９Ｂ，２９Ｅに係止して先端方向へのバンド８の移動が防止される。図７（ｃ）では、縮径部６の上端から真横（図では左右）に延びる一対の横部３０Ａ，３０Ｂからバンド係止部３０を構成している。したがって、バンド８で縮径部６を縮径することによって、バンド８が縮径部６の表面を先端方向（幅方向Ｗ外向き）に向かって滑って移動し、移動したバンド８の上端が横部３０Ａ，３０Ｂの下端３０ａ，３０ｂに係止して先端方向へのバンド８の移動が防止される。図７（ｄ）では、縮径部６の上端から両横側（図では左右）に延びると共に先端側ほど下方に位置する一対の傾斜延出部３１Ａ，３１Ｂからバンド係止部３１を構成している。したがって、バンド８で縮径部６を縮径することによって、バンド８が縮径部６の表面を先端方向（幅方向Ｗ外向き）に向かって滑って移動し、移動したバンド８の上端が、縮径部６の左側上端と左側の傾斜延出部３１Ａの右端との角部３１ａ及び縮径部６の右側上端と右側の傾斜延出部３１Ｂの左端との角部３１ｂに係止して先端方向へのバンド８の移動が防止される。
【００３７】
また、図８（ａ）〜（ｃ）では、縮径部６の上端部に、図８（ａ），（ｃ）では向きの異なるコの字状の切欠き３２Ｋ，３４Ｋを形成し、図８（ｂ）では略コの字状（図８（ｂ）参照）の切欠き３３Ｋを形成することによって、３つの切起片３２Ａ，３３Ａ，３４Ａを形成し、それら切起片３２Ａ，３３Ａ，３４Ａを作業者が図において上方に切起こした状態にすることによって、バンド係止部３２，３３，３４を構成することができる。図８（ａ）は、バンド８の巻回方向一端側（図では右側であるが、左側でもよい）に延びる切起片３２Ａである。したがって、バンド８で縮径部６を縮径することによって、バンド８が縮径部６の表面を先端方向（幅方向Ｗ外向き）に向かって滑って移動し、移動したバンド８の上端が、切起こした切起片３２Ａの下端３２ａに係止して先端方向（図では上方）へのバンド８の移動が防止される。図８（ｂ）は、下方に延びるとともに先端側ほどバンド８の巻回方向一端側（図では右側であるが、左側でもよい）に位置する傾斜切起片３３Ａである。したがって、バンド８で縮径部６を縮径することによって、バンド８が縮径部６の表面を先端方向（幅方向Ｗ外向き）に向かって滑って移動し、移動したバンド８の上端が、切起こした傾斜切起片３３Ａの基端部の裏面側部分３３ａに係止して先端側へのバンド８の移動が防止される。図８（ｃ）では、下方に延びる切起片３４Ａである。したがって、バンド８で縮径部６を縮径することによって、バンド８が縮径部６の表面を先端方向（幅方向Ｗ外向き）に向かって滑って移動し、移動したバンド８の上端が、切起こした切起片３４Ａの基端部の裏面側部分３４ａにバンド８の上端が係止して先端側（図では上方）へのバンド８の移動が防止される。
【００３８】
また、図９（ａ）〜（ｃ）では、縮径部６の上端部のそれぞれに孔３５Ｋ，３６Ｋ，３７Ｋを形成し、それら孔３５Ｋ，３６Ｋ，３７Ｋ内に舌片３５Ａ，３６Ａ，３７Ａを突出させてバンド係止部３５，３６，３７を構成した場合を示している。図９（ａ）では、舌片３５Ａが孔３５Ｋのバンド８の巻回方向一端から他端側（図では左端から右端側であるが、逆でもよい）に延びる状態を示している。したがって、バンド８で縮径部６を縮径することによって、バンド８が縮径部６の表面を先端方向（幅方向Ｗ外向き）に向かって滑って移動し、移動したバンド８の上端が、舌片３５Ａの下端３５ａに係止して先端方向（図では上方）へのバンド８の移動が防止される。図９（ｂ）では、舌片３６Ａが、孔３６Ｋの上端の左右中央から下方に延びるとともに先端側ほど右側に傾く傾斜状態を示している。したがって、したがって、バンド８で縮径部６を縮径することによって、バンド８が縮径部６の表面を先端方向（幅方向Ｗ外向き）に向かって滑って移動し、移動したバンド８の上端が、舌片３６Ａの基端部の裏面側部分３６ａにバンド８の上端が係止して先端方向へのバンド８の移動が防止される。図９（ｃ）では、舌片３７Ａが、孔３７Ｋの上端のバンド８の巻回方向中央から下方（図では左右中央から下方）に延びている状態を示している。したがって、バンド８で縮径部６を縮径することによって、バンド８が縮径部６の表面を先端方向（幅方向Ｗ外向き）に向かって滑って移動し、移動したバンド８の上端が、舌片３７Ａの基端部の裏面側部分３７ａにバンド８の上端が係止して先端側へのバンド８の移動が防止される。
【００３９】
また、図１０（ａ）では、縮径部６の上端部のバンド８の巻回方向一端側（図では右側）に延びる上下一対の横延出部３８Ａ，３８Ｂを備えてバンド係止部３８を構成している。したがって、バンド８で縮径部６を縮径することによって、バンド８が縮径部６の表面を先端方向（幅方向Ｗ外向き）に向かって滑って移動し、移動したバンド８の上端が、上側の横延出部３８Ａの下端３８ａに係止して先端方向（図では上方）へのバンド８の移動が防止される。なお、上側の横延出部３８Ａの下端３８ａと下側の横延出部３８Ｂの上端３８ｂとの隙間をバンド８の幅（上下方向の寸法）と同一にする又はバンド８の幅よりも大きくしている。これにより、バンド８を上側の横延出部３８Ａの下端３８ａと下側の横延出部３８Ｂの上端３８ｂとの間に位置決めすることができ、バンド８の締め付け作業をし易いという利点がある。
【００４０】
図１０（ｂ）では、縮径部６の基端から上端の間の途中部分からバンド８の巻回方向一端側（図では左側）に延びるバンド係止部３９を設けている。したがって、縮径部６を縮径した状態で縮径部６の上下方向途中に設けたバンド係止部３９の下端３９ａにバンド８の上端が係止して先端方向へのバンド８の移動が防止される。
【００４１】
前記実施形態では、バンド係止部が配管類用カバー部材の幅方向で延びるものから構成したが、配管類用カバー部材の表面（外面）から厚み方向外側に突出する突出部から構成してもよい。この突出部は、配管類用カバー部材に一体形成する又は別体形成された凸部を接着又は両面テープで取り付けて構成してもよい。また、ピンの軸部を配管類用カバー部材に差し込んでピンの頭部を突出部として構成することもできる。
【００４２】
また、前記実施形態では、排水管や排水集合管に配管類用カバー部材を巻き付けたが、配水管、ドレン管、給水給湯管等の配管類に配管類用カバー部材を巻き付けてもよい。
【００４３】
また、前記実施形態では、配管類用カバー部材を遮音性を有するものから構成したが、耐火性又は保温性（結露防止や温度低下防止）等を有するものから構成してもよい。
【符号の説明】
【００４４】
１…継手、１Ａ…蓋、２，３…排水管、４…第１配管類用カバー部材、５…カバー本体、５Ａ…開口、６…縮径部、６Ａ…片部、６Ｋ…切欠き、７…バンド係止部、７Ｄ…段差部、８…バンド、８Ａ…バンド部、８Ｂ…ロック部、９，１０…配管類用カバー部材、１１…集合排水管、１１Ａ…接続部、１２…第２配管類用カバー部材、１３…第３配管類用カバー部材、１４…床スラブ、１４Ａ…貫通孔、１５…第１立て管、１６…枝管、１７…第２立て管、１８…カバー本体、１８Ａ，１８Ｂ，１８Ｃ…切り取り線、１９…縮径部、１９Ａ…片部、１９Ｋ…切欠き、２０…バンド係止部、２１…カバー本体、２２…縮径部、２２Ａ…片部、２２Ｋ…切欠き、２３…バンド係止部、２４…バンド係止部、２４Ａ…上方延出部、２４Ｂ…横延出部、２４ｂ…下端、２５…バンド係止部、２５Ａ…傾斜部、２５Ｂ…横部、２５Ｃ…下部、２５ｂ…下端、２６…バンド係止部、２６Ａ…延出部、２７…バンド係止部（傾斜延出部）、２７Ａ…角部、２８…バンド係止部、２８Ａ…上方延出部、２８Ｂ…横延出部、２８ｂ…下端、２９…バンド係止部、２９Ａ，２９Ｂ…延出部、２９Ｃ，２９Ｅ…下端、２９ａ，２９ｄ…傾斜部、２９ｂ，２９ｅ…横部、２９ｃ，２９ｆ…下部、３０…バンド係止部、３０Ａ，３０Ｂ…横部、３０ａ，３０ｂ…下端、３１…バンド係止部、３１Ａ，３１Ｂ…傾斜延出部、３１ａ，３１ｂ…角部、３２，３３，３４…バンド係止部、３２Ａ，３３Ａ，３４Ａ…切起片、３３ａ…裏面側部分、３４ａ…裏面側部分、３５，３６，３７…バンド係止部、３５Ａ，３６Ａ，３７Ａ…舌片、３５Ｋ，３６Ｋ，３７Ｋ…孔、３５ａ…下端、３６ａ，３７ａ…裏面側部分、３８…バンド係止部、３８Ａ，３８Ｂ…横延出部、３８ａ…下端、３８ｂ…上端、３９…バンド係止部、３９ａ…下端
【図１】
2019157597.tif 000003
【図２】
2019157597.tif 000004
【図３】
2019157597.tif 000005
【図４】
2019157597.tif 000006
【図５】
2019157597.tif 000007
【図６】
2019157597.tif 000008
【図７】
2019157597.tif 000009
【図８】
2019157597.tif 000010
【図９】
2019157597.tif 000011
【図１０】
2019157597.tif 000012